(57)【要約】【課題】  接地面の状況に柔軟に対応してバランスを保つことができるコマ玩具を提供すること。【解決手段】  回転中心と一致する軸線を軸中心とする軸部１０を備え、軸部１０における下端部に、接地部材５１を有する軸先部１１と、この軸先部１１の軸周りに取り付けられ軸線の延在方向への移動が可能に配置された環状部材５２とが設けられ、常態において、接地部材５１は環状部材５２よりも下方に突出し、接地面に対して軸部１０の軸線が傾いた際には、接地部材５１と環状部材５２とがともに接地する。【選択図】図３
2018126425.tif 000002
【特許請求の範囲】
【請求項１】
回転中心と一致する軸線を軸中心とする軸部を備え、
前記軸部における下端部に、接地部材を有する軸先部と、この軸先部の軸周りに取り付けられ軸線の延在方向への移動が可能に配置された環状部材と、が設けられ、
常態において、前記接地部材は前記環状部材よりも下方に突出し、接地面に対して前記軸部の軸線が傾いた際には、前記接地部材と前記環状部材とがともに接地することを特徴とするコマ玩具。
【請求項２】
前記環状部材を前記軸部における下端部に向かって付勢する付勢部材を備えていることを特徴とする請求項１に記載のコマ玩具。
【請求項３】
前記環状部材には、その重量を加算するための錘が設けられていることを特徴とする請求項１又は請求項２に記載のコマ玩具。
【発明の詳細な説明】
【技術分野】
【０００１】
本発明は、コマ玩具に関するものである。
【背景技術】
【０００２】
従来、回転力を付与することによって軸を中心として回転するコマ玩具について、軸の太さや形状等を変化させる工夫が提案されている。
例えば、特許文献１には、玩具本体の下面中央に、筒状の第１の回転軸とその内部に配置された第２の回転軸とを設けて、コマ玩具を回転させると、第１の回転軸と第２の回転軸とが相対的に移動して、いずれか一方が接地できるようにしたコマ玩具が開示されている。
【０００３】
特許文献１に記載のコマ玩具によれば、第１の回転軸とこれよりも径の細い第２の回転軸とを選択的に用いることができる。
このように、コマ玩具について、軸の太さや形状、重さ等を変化させることで、コマ玩具の回転特性を変えることができる。
【先行技術文献】
【特許文献】
【０００４】
【特許文献１】実用新案登録第３０７７１３３号公報
【発明の概要】
【発明が解決しようとする課題】
【０００５】
しかしながら、特許文献１に記載のコマ玩具では、第２の回転軸が第１の回転軸の内部に没入した状態又は第２の回転軸が第１の回転軸から下方に突出した状態のいずれかをとるようにロックする機構が設けられている。
このため、第１の回転軸か第２の回転軸のいずれの回転軸で接地させるかは選択的であり、いずれの軸によって接地するかというコマ玩具の接地状況が回転しながら状況に応じて変化する構成とはなっていない。
しかし、コマ玩具を回転させるフィールド（接地面）は、水平面である部分と傾斜面である部分がある等、その状況は一様でない場合もある。
このため、予め選択された回転軸でしか接地しないとした場合には、接地面の状況に適切に対応できずにコマ玩具がバランスを崩してしまうことも起こり得る。
【０００６】
本発明は、かかる問題点に鑑みなされたもので、接地面の状況に柔軟に対応してバランスを保つことができるコマ玩具を提供することを目的とする。
【課題を解決するための手段】
【０００７】
本発明の第１の手段は、回転中心と一致する軸線を軸中心とする軸部を備え、
前記軸部における下端部に、接地部材を有する軸先部と、この軸先部の軸周りに取り付けられ軸線の延在方向への移動が可能に配置された環状部材と、が設けられ、
常態において、前記接地部材は前記環状部材よりも下方に突出し、接地面に対して前記軸部の軸線が傾いた際には、前記接地部材と前記環状部材とがともに接地することを特徴とする。
【０００８】
また、第２の手段は、第１の手段において、前記環状部材を前記軸部における下端部に向かって付勢する付勢部材を備えていることを特徴とする。
【０００９】
また、第３の手段は、第１の手段において、前記環状部材には、その重量を加算するための錘が設けられていることを特徴とする。
【発明の効果】
【００１０】
本発明によれば、常態においては、接地部材が環状部材よりも下方に突出して、接地することで円滑にコマ玩具が回転するとともに、接地面に対して軸部の軸線が傾いた際には、接地部材とともに環状部材が接地する。このため、接地面の状況に柔軟に対応してバランスを保つことができる。
また、接地面に対して軸部の軸線が傾いた際、環状部材は接地面に押されて軸線の延在方向に沿って上下動するが、環状部材は接地面との間に摩擦抵抗を生じる。これにより、環状部材が軸線の延在方向に沿って大きく上下動し過ぎることが抑制され、適切な位置で接地部材とともに接地面に接地するため、コマ玩具のバランスを保つことができる。
【００１１】
また、環状部材を軸部における下端部に向かって付勢する付勢部材を備える場合には、環状部材が接地面に接地した際の環状部材の浮き上がり（軸線の延在方向に沿う上方向への移動）が抑えられる。このため、コマ玩具は接地部材と環状部材とがともに接地した状態でより安定してバランスを保つことができる。
【００１２】
また、環状部材の重量を加算して環状部材を軸部における下端部に向かって押し下げる錘を備える場合には、環状部材が接地面に接地した際の環状部材の浮き上がり（軸線の延在方向に沿う上方向への移動）が抑えられる。このため、コマ玩具は接地部材と環状部材とがともに接地した状態でより安定してバランスを保つことができる。
【図面の簡単な説明】
【００１３】
【図１】（ａ）は、本発明に係るコマ玩具の一実施形態を示す斜視図であり、（ｂ）は、本実施形態におけるコマ玩具の遊び方を説明した図である。
【図２】本実施形態のコマ玩具の軸部の外観を示す斜視図である。
【図３】（ａ）は、本実施形態のコマ玩具の軸部の左右方向の断面斜視図であり、（ｂ）は、本実施形態の軸部の前後方向の断面斜視図である。
【図４】コマ玩具の軸部の分解斜視図である。
【図５】（ａ）は、コマ玩具の押圧部材の斜視図であり、（ｂ）は、コマ玩具の支持部材の斜視図であり、（ｃ）は、コマ玩具の接地部材を側面方向から見た斜視図であり、（ｄ）は、コマ玩具の接地部材を斜め上方向から見た斜視図である。
【図６】（ａ）は、コマ玩具の軸部本体の斜視図であり、（ｂ）は、（ａ）に示す軸部本体から環状部材を取り外した状態を示す斜視図である。
【図７】（ａ）は、軸部の軸線が傾いていない常態における接地状態を示す側面図であり、（ｂ）は、軸部の軸線が傾いて接地部材と環状部材とがともに接地している状態を示す側面図である。
【図８】（ａ）は、環状部材を軸部における下端部に向かって付勢する付勢部材を備える軸部の一変形例を示す側面図であり、（ｂ）は、環状部材に錘が設けられている軸部の一変形例を示す側面図である。
【発明を実施するための形態】
【００１４】
以下、図１（ａ）及び図１（ｂ）から図７（ａ）及び図７（ｂ）を参照しつつ、本発明に係るコマ玩具の一実施形態について説明する。
なお、以下の実施形態には、本発明を実施するために技術的に好ましい種々の限定が付されているが、本発明の範囲を以下の実施形態及び図示例に限定するものではない。
【００１５】
《全体構成》
図１（ａ）は、本発明に係るコマ玩具の一実施形態の斜視図であり、図１（ｂ）は、コマ玩具の遊び方を説明した図であり、図２は、本実施形態のコマ玩具の軸部の外観を示す斜視図である。
なお、本実施形態においては、上下、左右及び前後は図２に示した向きをいうものとする。
実施形態のコマ玩具１は、いわゆるコマバトルゲームに使用することが可能なコマ玩具である。
具体的には、このコマ玩具１は、互いの衝突による衝撃力で相手方のコマ玩具１を図１（ｂ）に示すように分解させて勝利とするようなバトルゲームに使用することができる。
このコマ玩具１は、図１（ｂ）に示すように、下部構造を構成しドライバとなる軸部１０と、上部構造を構成するレイヤーとなる性能可変リング３０及び胴体４０とによって構成されている。
なお、以下においては、本実施形態において特徴的構成を有する部分である軸部１０について詳細に説明する。
【００１６】
《軸部の細部構成》
図３（ａ）は、本実施形態のコマ玩具の軸部を図２における左右方向に切断した場合の断面斜視図であり、図３（ｂ）は、本実施形態のコマ玩具の軸部を図２における前後方向に切断した場合の断面斜視図である。
また、図４は、本実施形態における軸部の分解斜視図である。
【００１７】
図２に示すように、軸部１０は、コマ玩具１の回転中心と一致する軸線を軸中心とし、下端部に軸先部１１、上下方向中間部に鍔部１２、上部に円筒部１３を備えている。
本実施形態において、このうち鍔部１２と円筒部１３とは、図４に示すように、上部ケース１４として一体に形成されており、軸部上部を構成している。
図２及び図４に示すように、上部ケース１４の円筒部１３及び鍔部１２には、軸部１０の軸線を挟み左右方向で対峙する部位２箇所それぞれに突出部１４１が形成されている。この突出部１４１の外面は鍔部１２の外周面とほぼ面一となっている。
また、図３（ｂ）及び図４に示すように、上部ケース１４の円筒部１３及び鍔部１２には、軸部１０の軸線を挟み前後方向で対峙する部位２箇所それぞれに切欠き部１４２が形成されている。切欠き部１４２は、軸部１０の軸線に沿って延在している。
【００１８】
また、軸部１０は、ほぼ円筒状に形成された押圧部材１５を備えている。本実施形態において押圧部材１５は合成樹脂で形成されているが、押圧部材１５は金属製等であってもよい。
図５（ａ）は、押圧部材１５を斜め上方向から見た斜視図である。
図３（ａ）、図３（ｂ）、図４及び図５（ａ）に示すように、押圧部材１５は、円筒部１５１と、天井部１５２と、脚部１５３とを備えている。
円筒部１５１の外径は、上部ケース１４の円筒部１３の内径よりも小さくなっており、組み立て状態において、押圧部材１５の円筒部１５１は、上部ケース１４の円筒部１３内に配置される。
また、円筒部１５１の内径は、後述する軸部本体５０の柱状部材５３の上端部の外径よりも大きく形成されており、柱状部材５３の上端部が円筒部１５１内に嵌め込まれるようになっている。
天井部１５２は円筒部１５１の上端に設けられている。この天井部１５２には、柱状部材５３の上端部に対応する形状の開口部１５４が形成されている。
また、脚部１５３は、円筒部１５１の外周下端部に設けられている。
この脚部１５３は、円筒部１５１の外周のうち、軸部１０の軸線を挟み前後方向で対峙する部位２箇所それぞれに形成されている。この脚部１５３は、円筒部１５１から水平に張り出す水平部１５５、水平部１５５の先端から垂直下方に延びる鉛直部１５６とから構成されている。
【００１９】
このように構成された押圧部材１５は、組み立て状態において、脚部１５３が上記上部ケース１４の切欠き部１４２に挿入されるようにして設置される。切欠き部１４２は上下方向の寸法が脚部１５３の長さ寸法よりも大きく設定されており、脚部１５３が切欠き部１４２内を上下方向に案内されることで、押圧部材１５は軸部１０の軸線に沿って上下方向に移動可能となっている。
この押圧部材１５はスプリング１８によって上方に付勢されている。この押圧部材１５は、脚部１５３が切欠き部１４２の上縁に突き当たることにより上方への移動が規制されており、常態では、押圧部材１５の上端は上部ケース１４の円筒部１３の上端とほぼ同じ高さ位置に配置される。
また、押圧部材１５の天井部１５２の上面には、軸部１０の軸線を挟み左右方向で対峙する部位２箇所それぞれに半径方向に延びる凸条（突起）１５７が形成されている。
【００２０】
上部ケース１４よりも下側には、コマ玩具１の回転中心と一致する軸線を軸中心とする軸部本体５０（図４参照）が配置されている。
図６（ａ）は、軸部本体の斜視図であり、図６（ｂ）は、図６（ａ）の軸部本体から環状部材５２を取り外して内部構成を示した斜視図である。
図４、図６（ａ）及び図６（ｂ）に示すように、軸部本体５０は、軸先部１１、環状部材５２、柱状部材５３を備えている。
【００２１】
本実施形態では、軸部１０における下端部に軸先部１１と環状部材５２とが設けられている。
図４に示すように、軸先部１１は、接地部材５１とこの接地部材５１を支持する支持部材５４とによって構成されている。
【００２２】
図５（ｃ）は、接地部材を側面方向から見た斜視図であり、図５（ｄ）は、接地部材を斜め上方向から見た斜視図である。
図５（ｃ）及び図５（ｄ）に示すように、本実施形態の接地部材５１は、円盤状の係止部５１１とこの係止部５１１の下側に突出する円弧状部５１２を有している。
接地部材５１の円弧状部５１２は、コマ玩具１で遊ぶ際に、フィールド等に直接接触する部分であり、係止部５１１の下側に突出するほぼ半球状の部である。円弧状部５１２は、その最も突出している頂点部分が軸部１０の軸線上に位置するように配置される。
また、係止部５１１の上側（すなわち、円弧状部５１２が形成されている側とは逆側）には、軸部１０の軸線の延在方向に沿って突出し、支持部材５４と連結される連結軸部５１３が設けられている。
連結軸部５１３は、軸線に直交する方向の断面形状が連結軸部５４２の軸線に直交する方向の断面形状に対応する形状となっており、支持部材５４側の連結軸部５４２と嵌り合うようになっている。本実施形態では、連結軸部５１３の断面形状がほぼＸ字型となっている。
連結軸部５１３の軸中心には、軸部１０の軸線の延在方向に沿って形成された孔部５１４が形成されている。図３（ａ）及び図３（ｂ）及び図４に示すように孔部５１４には、ねじ１７が挿通される。
なお、接地部材５１は金属によって形成されていてもよいし、金属以外の材料（例えば硬質樹脂等）で形成されていてもよい。
【００２３】
支持部材５４は、接地部材５１を支持し接地部材５１とともに軸先部１１を構成するものである。
図５（ｂ）は、支持部材を斜め上方向から見た斜視図である。
図３（ａ）、図３（ｂ）、図４及び図５（ｂ）に示すように、支持部材５４は、上端部が開口した柱状部５４１と、柱状部５４１の外周から外側に向かって張り出す一対の張出部５４３とを有している。張出部５４３には、それぞれ貫通孔５４４が形成されている。貫通孔５４４は、組み立て状態において柱状部材５３の貫通孔５３３、上部ケース１４の孔部１４３と対応する位置に形成されており、図４に示すように、貫通孔５４４、貫通孔５３３及び孔部１４３にねじ１６を挿通させることにより、上部ケース１４、柱状部材５３、支持部材５４及び上部ケース１４と柱状部材５３との間に配置される押圧部材１５が固定され、一体化される。
【００２４】
支持部材５４の柱状部５４１の下面側には、軸部１０の軸線の延在方向に沿って突出し、前述した接地部材５１の連結軸部５１３と連結される連結軸部５４２が設けられている。
本実施形態の連結軸部５４２は中空かつその断面形状が異形である軸部であり、中空部分に接地部材５１の連結軸部５１３が嵌め込まれるようになっている。
なお、連結軸部５４２及びこれに対応する接地部材５１の連結軸部５１３の断面形状は図示例に限定されないが、接地部材５１と支持部材５４との間や、接地部材５１及び支持部材５４で構成される軸先部１１と後述の環状部材５２と軸先部１１の間の自由な回転を規制するために、円形ではなく、異形又は多角形状であることが好ましい。
【００２５】
連結軸部５４２の軸中心には、軸部１０の軸線の延在方向に沿って形成された貫通孔５４５が形成されている。図３（ａ）及び図３（ｂ）及び図４に示すように貫通孔５４５には、ねじ１７が挿通される。
【００２６】
また、支持部材５４の柱状部５４１の内側底面には、放射状に４つのリブ５４６が設けられている。リブ５４６の位置及び形状（厚み）は、柱状部材５３の下部に設けられたリブ５３４の間に形成されている隙間５３５の幅及びその位置に対応しており、組み立て状態において、支持部材５４のリブ５４６が柱状部材５３におけるリブ５３４の隙間５３５に嵌め込まれるようになっている。
【００２７】
環状部材５２は、軸先部１１の軸周りに取り付けられ、軸部１０の軸線の延在方向への移動が可能に配置されたリング状の部材である。
本実施形態の環状部材５２は、環状部材５２の外周を構成する筒状部５２１を有している。
本実施形態において、環状部材５２の筒状部５２１の内径は接地部材５１の円盤状の係止部５１１の直径よりも大きくなっており、図３（ａ）及び図３（ｂ）に示すように、接地部材５１は環状部材５２の筒状部５２１内に収容可能となっている。
【００２８】
また、本実施形態では、筒状部５２１の上側の端面には開口部５２２が形成されており、この開口部５２２には、接地部材５１の連結軸部５１３が嵌め込まれた支持部材５４の連結軸部５４２が挿通されている。
本実施形態では、開口部５２２は、ほぼ矩形に形成されており、異形に形成されている連結軸部５４２を開口部５２２に挿通させることにより、環状部材５２の周方向への回転動作が規制されるようになっている。
【００２９】
また、環状部材５２は、その開口部５２２の開口端から下側に向かって垂設されたリブ５２３を有している。
図３（ａ）及び図３（ｂ）に示すように、リブ５２３の先端は筒状部５２１内に収容された接地部材５１の係止部５１１の上面に当接可能となっており、これにより、環状部材５２が接地部材５１の係止部５１１よりも下方に抜け落ちないようになっている。
【００３０】
《組立方法》
次に、コマ玩具１の組立方法の一例を説明する。なお、ここでは、軸部１０の組立を中心に説明する。
まず、軸先部１１を構成する支持部材５４の連結軸部５４２を環状部材５２の開口部５２２に挿通させる。そして、接地部材５１を連結軸部５１３が上側になるようにして下方から環状部材５２の筒状部５２１内に配置し、連結軸部５１３を支持部材５４の連結軸部５４２に嵌め込む。
さらに、連結軸部５４２の軸中心に設けられている貫通孔５４５に、支持部材５４の上方からねじ１７を挿入し、ねじ１７の先端部が接地部材５１の連結軸部５１３の軸中心に設けられている孔部５１４内に到達するまでねじ込むことにより、支持部材５４を接地部材５１に固定して一体化させる、これにより環状部材５２が連結軸部５４２に挿通された状態で配置される。
【００３１】
次に、柱状部材５３をリブ５３４の設けられている側を下にして支持部材５４の上に取り付ける。具体的には、支持部材５４側に設けられているリブ５４６が柱状部材５３のリブ５３４の隙間５３５に嵌るように位置を合わせて配置する。
そして、開口部１５４が柱状部材５３の上端部の形状に対応する向きで押圧部材１５を柱状部材５３の上側に嵌め込む。
さらに、押圧部材１５の上から上部ケース１４を被せて、支持部材５４の下方から、支持部材５４の貫通孔５４４、柱状部材５３の貫通孔５３３にねじ１６を挿通させ、ねじ１６の先端部を上部ケース１４の孔部１４３にねじ込む。
これにより、軸部１０を構成する全ての部品が一体化され、軸部１０の組み立てが完了する。
【００３２】
そして、このようにして組み立てられた軸部１０の上部に性能可変リング３０を嵌合状態に組み付ける。
さらに、この組付け体を下方から胴体４０に対して組み付け、胴体４０や性能可変リング３０が容易に軸部１０から外れないようにロック状態とする。
これにより、本実施形態におけるコマ玩具１の組み立てが完了する。
【００３３】
《遊び方及び作用》
続いて、このコマ玩具１を使用しての遊び方の一例及びコマ玩具１の作用を説明する。
この遊び方の一例では、コマ玩具１を回転させて、相手方のコマ玩具１と戦いを行う。
この場合、コマ玩具１の回転力のチャージは、図示しないランチャー等を用いて行い、コマ玩具１を回転させて所定のフィールド上に発射する。
【００３４】
このようにして発射されたコマ玩具１は当該フィールドにおいて回転させられ、相手方のコマ玩具１に衝突すると、衝突による衝撃力等がコマ玩具１に作用する。そして、衝突を繰り返すことでコマ玩具１のロック状態が解除されると、図１（ｂ）に示すように、コマ玩具１は軸部１０と性能可変リング３０及び胴体４０とに分解される。
【００３５】
本実施形態では、図７（ａ）に示すように、コマ玩具１の軸部１０の軸線がフィールドＦ等の接地面に対して垂直である常態においては、接地部材５１（本実施形態では接地部材５１の下端部に位置する円弧状部５１２）は環状部材５２よりも下方に突出した状態となっており、接地部材５１（本実施形態では円弧状部５１２）のみがフィールドＦ等の接地面に接地する。
これにより、コマ玩具１が安定して回転する。
【００３６】
これに対して、図７（ｂ）に示すように、コマ玩具１の回転力が弱まってコマ玩具１の軸部１０の軸線がフィールドＦ等の水平な状態の接地面に対して傾いたり、又は相手方のコマ玩具１と衝突して弾かれる等によって傾斜したフィールドＦ等（接地面）にコマ玩具１が乗り上げる等により、接地面に対して軸部１０の軸線が傾いた際には、接地部材５１（本実施形態では円弧状部５１２）とともに環状部材５２もフィールドＦ等（接地面）に接地する。
これにより、コマ玩具１は、接地部材５１（本実施形態では円弧状部５１２）と環状部材５２の２点で支持され、バランスがとりやすく軸部１０の軸線が傾いた姿勢でも比較的安定して回転することができる。
さらには、環状部材５２によって接地面を押すことで傾いた姿勢を立て直すことができる。
また、環状部材５２は、フィールドＦ等（接地面）に接地すると、接地面との接触による外力を受けて軸部１０の軸線に沿って上下動する。これにより、軸部に伝わる衝撃が効果的に吸収され、コマ玩具１はより安定して回転することができる。
【００３７】
なお、環状部材５２は、フィールドＦ等（接地面）に接地すると、接地面との接触による外力を受けて軸部１０の軸線に沿って上方向に押し上げられるが、接地面との接触による摩擦抵抗により上方に上がり過ぎて逃げることがなく、コマ玩具１を支え続ける。
特に本実施形態では、環状部材５２が軸部１０の軸線の周方向への回転動作が規制されているため、接地面と接触した際の摩擦抵抗は軸線の周方向に自由回転可能に構成されている場合と比較して大きくなる。
このため、環状部材５２が適切な位置で接地面と接触し、コマ玩具１を支持するとともに、接地面を押すことで傾いた姿勢を立て直し元に戻ろうとする力が働く。このため、コマ玩具１はより倒れにくく、長い時間安定して回り続けることができる。
【００３８】
《本実施形態の効果》
以上のように、本実施形態によれば、接地面に対して軸部１０の軸線が傾いていない常態においては、接地部材５１が環状部材５２よりも下方に突出して、接地部材５１のみが接地することで円滑にコマ玩具が回転するとともに、接地面に対して軸部１０の軸線が傾いた際には、接地部材５１とともに環状部材５２が接地する。このため、コマ玩具１は接地部材５１と環状部材５２との両方により、軸部１０の軸線が傾いた状態から軸部１０の軸線が傾かない状態に復帰する方向に支持され、その回転姿勢を立て直すことができ、倒れにくいコマ玩具１とすることができる。
また、軸線の延在方向に沿って上下動する環状部材５２が接地部材５１とともに接地することで軸部１０に伝わる衝撃を環状部材５２の上下動により効果的に吸収する効果も期待できる。
このように、本実施形態のコマ玩具１は、接地面の状況に対応して柔軟にバランスを保つことができる。
また、接地面に対して軸部１０の軸線が傾いた際、環状部材５２は接地面に押されて軸線の延在方向に沿って上下動するが、本実施形態の環状部材５２は軸先部１１の周方向への回転動作が規制されているために接地面との間に大きな摩擦抵抗を生じる。これにより、環状部材５２が軸線の延在方向に沿って大きく上下動し過ぎることが抑制され、適切な位置で接地部材５１とともに環状部材５２が接地面に接地する。このため、環状部材５２を支えとしてコマ玩具１のバランスが保たれ、倒れかけたコマ玩具１の姿勢を立て直すことができる。
【００３９】
《本発明の変形例》
以上、本発明の実施形態について説明したが、本発明は、かかる実施形態に限定されるものではなく、その要旨を逸脱しない範囲で、種々変形が可能であることは言うまでもない。
例えば、上記実施形態では、接地部材５１が半球状の円弧状部５１２を有し、この円弧状部５１２がフィールドＦに接地する例を示したが、フィールドＦに接地する接地部材の形状は特に限定されない、例えば、フィールドＦに接地する軸部１０の先端部が錐状等になっているや棒状のものであってもよい。
このように接地部材５１の接地部分が円弧状ではない場合でも、軸部１０が傾いた際に環状部材５２が接地部材５１とともに接地することで、接地部材５１の接地部分が円弧状である場合と同様に、コマ玩具１が２点で安定して支えられ、倒れにくく安定して回転するコマ玩具１とすることができる。
【００４０】
また、例えば、図８（ａ）に示すように、環状部材５２には、その重量を加算するための錘６が設けられていてもよい。
このように、環状部材５２の重量を加算して環状部材５２を軸部１０における下端部に向かって押し下げる錘６を備える場合には、環状部材５２が接地面に接地した際の環状部材５２の浮き上がり（軸線の延在方向に沿う上方向への移動）が効果的に抑えられる。このため、コマ玩具１は接地部材５１と環状部材５２とがともに接地した状態でより安定してバランスを保つことができる。
なお、錘６を交換可能としてもよい。この場合には、フィールドＦの状況や戦い方等に応じて、錘６の重さを調整する等、ユーザが自由にカスタマイズすることも可能となり、コマ玩具１の楽しさが向上する。
【００４１】
また、例えば、図８（ｂ）に示すように、環状部材５２を軸部１０における下端部に向かって付勢する付勢部材としてバネ７を備えていてもよい。
このように、環状部材５２を軸部１０における下端部に向かって付勢する付勢部材（バネ７）を備える場合には、環状部材５２が接地面に接地した際の環状部材５２の浮き上がり（軸線の延在方向に沿う上方向への移動）が抑えられる。このため、コマ玩具１は接地部材５１と環状部材５２とがともに接地した状態が維持しやすくなり、より安定してバランスを保つことができる。
なお、付勢部材は、環状部材５２を軸部１０における下端部に向かって付勢することができるものであればよく、バネ７に限定されない。
【００４２】
また、本実施形態では、支持部材５４の連結軸部５４２及びこれに対応する接地部材５１の連結軸部５１３の断面形状を異形とし、環状部材５２の開口部５２２をほぼ矩形に形成して、異形に形成されている連結軸部５４２を矩形の開口部５２２に挿通させることにより、環状部材５２の周方向への回転動作が規制されるように構成したが、支持部材５４の連結軸部５４２及び接地部材５１の連結軸部５１３の断面形状と、環状部材５２の開口部５２２の形状とは、ここに例示したものに限定されない。
例えば、支持部材５４の連結軸部５４２及び接地部材５１の連結軸部５１３の断面形状、及びこれと嵌り合う環状部材５２の開口部５２２の形状を円形状とし、環状部材５２の周方向への回転が規制されない構成としてもよい。
この場合でも、環状部材５２が接地面に接触した際には摩擦抵抗が生じるため、本実施形態と同様の効果を期待することができる。
【符号の説明】
【００４３】
１      コマ玩具
１０    軸部
１１    軸先部
１２    鍔部
１３    円筒部
１４    上部ケース
１５    押圧部材
３０    性能可変リング
４０    胴体
５０    軸部本体
５１    接地部材
５２    環状部材
５３    柱状部材
５４    支持部材
【図１】
2018126425.tif 000003
【図２】
2018126425.tif 000004
【図３】
2018126425.tif 000005
【図４】
2018126425.tif 000006
【図５】
2018126425.tif 000007
【図６】
2018126425.tif 000008
【図７】
2018126425.tif 000009
【図８】
2018126425.tif 000010
【手続補正書】
【提出日】平成30年2月19日(2018.2.19)
【手続補正１】
【補正対象書類名】明細書
【補正対象項目名】０００７
【補正方法】変更
【補正の内容】
【０００７】
本発明の第１の手段は、回転中心と一致する軸線を軸中心とする軸部を備え、前記軸部における下端部に、接地部材を有する軸先部と、この軸先部の軸周りに取り付けられ軸線の延在方向への移動が可能に配置された環状部材と、が設けられ、前記軸線が接地面に対して垂直である常態において、前記接地部材は前記環状部材よりも下方に突出し、接地部材のみが接地面に接地し、接地面に対して前記軸部の軸線が傾いた際には、前記接地部材と前記環状部材とがともに接地することを特徴とする。
【手続補正２】
【補正対象書類名】特許請求の範囲
【補正対象項目名】全文
【補正方法】変更
【補正の内容】
【特許請求の範囲】
【請求項１】
回転中心と一致する軸線を軸中心とする軸部を備え、
前記軸部における下端部に、接地部材を有する軸先部と、この軸先部の軸周りに取り付けられ軸線の延在方向への移動が可能に配置された環状部材と、が設けられ、
前記軸線が接地面に対して垂直である常態において、前記接地部材は前記環状部材よりも下方に突出し、接地部材のみが接地面に接地し、接地面に対して前記軸部の軸線が傾いた際には、前記接地部材と前記環状部材とがともに接地することを特徴とするコマ玩具。
【請求項２】
前記環状部材を前記軸部における下端部に向かって付勢する付勢部材を備えていることを特徴とする請求項１に記載のコマ玩具。
【請求項３】
前記環状部材には、その重量を加算するための錘が設けられていることを特徴とする請求項１又は請求項２に記載のコマ玩具。